(57)【要約】      （修正有）【課題】バルブが自らに嵌入されたエアポンプの延伸管を保持する自己保持機能を備え、効果的に各種の空気注入物に幅広く応用することができる、自己保持型空気バルブの提供。【解決手段】折り曲げ式外蓋、バルブ殻体、移動中棒、バネ部材、皿形ゴム、バルブ栓、固定部品から構成され、該バルブ殻体の前端部内側に形成した槽の周縁部に、エアポンプの延伸管に対応する対称のロック槽を開設し、該延伸管を挿入して回転させると該ロック槽に嵌入され固定されると共に、該移動中棒の一端に透かし状の押圧片を設け、別の一端に棒体を設け、該棒体の先端にさらにネジ留め端を形成し、且つ、該棒体にバネ部材を穿置し、該押圧片を該バルブ殼体内側の槽内に設置し、別の一端の該棒体及びネジ留め端をバルブ殻体内部に設けた透かし状の支持片の中央孔に穿通した後、該ネジ留め端を該皿形ゴムと該バルブ栓に穿通し、さらに固定部品を該ネジ留め端に螺合して固定する。【選択図】図３
0003113886.tif 000002
【実用新案登録請求の範囲】
【請求項１】
弧形中空体の前端開口外側を嵌挿する環を備えた折り曲げ式外蓋の前記環中に前端開口を、内側に、エアポンプの延伸空気注入管先端に設けた突起を嵌合する切欠きを設けたロック槽とする空気注入端とし、前記開口近くの外側にバルブ殻体を配して成り、後端に弧形鍔を設けた弧形中空体の前記開口外周を嵌挿し、前記開口から透かし状の支持片を前端に配し、後端をネジ留端とする移動中棒を挿入し、該移動中棒には後端からバネ部材、皿形ゴム、バルブ栓を挿着するとともに後端のネジ留端は固定部材を以て固定する構成としたことを特徴とする自己保持型空気バルブ。
【請求項２】
前記折り曲げ式外蓋が該弧形中空体前端の外側に被せて設置され、且つ、内側へ折り曲げると該弧形中空体の空気注入端口を密閉することができる構成としたことを特徴とする請求項１に記載の自己保持型空気バルブ。
【請求項３】
前記弧形中空体後端部が内側に傾斜した弧形中空体であり、且つ、同じ形態のバルブ栓と該バルブ栓の面上を覆う皿形ゴムが内側に傾斜した弧形の周縁面に密着する構成としたことを特徴とする請求項１に記載の自己保持型空気バルブ。
【請求項４】
前記エアポンプの延伸空気注入管が前端部と突起部を備え、該延伸空気注入管を該弧形中空体の開口部にに挿入して回転させると、該突起部が前記ロック槽に嵌入されてロックされる構成としたことを特徴とする請求項１に記載の自己保持型空気バルブ。
【考案の詳細な説明】
【技術分野】
【０００１】
本考案は自己保持型空気バルブに関し、特に、エアポンプの延伸管を連結して保持することができ、延伸管の連結に連動してバルブが自動的に開き、延伸管を取り外すとバルブが自動的に閉じ、空気の注入と吸引排気を迅速に行うことができる、自己保持型空気バルブに関する。
【０００２】
本考案の自己保持型空気バルブには主に、次のような特徴と効果がある。
１、エアポンプの延伸管を連結してロックでき、人力で輔助し空気の注入と吸入排気を行う必要がない。
２、内部のバルブ体に連動式の構造設計を採用し、直接押圧して施力することでバルブを開くことができ、構造が簡易で操作にも便利である。        
３、内部のバルブ体はバネ部材の反発力を利用して閉じる構造であり、これにより往復運動が行われる際の確実性と動作の簡略化が得られ、衍生的にその耐用性と使用寿命が延長されることが本考案の最大の特色である。
４、内部のバルブ体に円弧形の軟質皿形ゴムでバルブ栓の表面を覆う構造を採用し、バルブ栓に密着特性を形成し、この構造により空気の注入と吸入排気を迅速に行うことができるほか、バルブ栓が空気注入物の内圧を受ける関係で、内圧が大きければ大きいほどその密着力も大きくなる仕組みである。
５、本考案はエアポンプ延伸管を嵌合するとバルブが押圧されて下がる構造で、延伸管を回転させながら嵌合するとバルブが開き、直接空気注入と吸入排気の操作を行うことができる。
６、本考案はエアポンプ延伸管を嵌合するとバルブが押圧されて下がる構造で、延伸管を取り外すとバルブが閉じ、操作の遅延により気体が漏れ、空気注入物の内圧が失われるということがない。
【背景技術】
【０００３】
従来の空気注入物に用いられる空気バルブＡ１は、図１に示すように、手でつまむ輔助的操作でバルブを押さえて開く空気バルブの設計が用いられており、詳細に見ると、空気バルブＡ１内部には単方向バルブ片が設置されており、平常時にはこの単方向バルブ片が閉じた状態を呈し、空気の注入（口で空気を吹き込む）が必要なときには、手でこの単方向バルブ片をつまんで変形させると、気体の注入及び押し出し方式での内部気体の排出ができるしくみである。従来のこのような空気バルブＡ１は、密閉性に劣り気密性に優れないため、別途キャップ蓋Ａ２を用いて蓋をし、内部気体の漏洩を防ぐ必要がある。さらに、従来の空気注入物は電動式のエアポンプに対応していないため、手動操作の遅れや空気の漏れの問題が多く発生し、往々にして空気注入物の内圧を飽和状態にしておくことが困難であった。
【考案の開示】
【考案が解決しようとする課題】
【０００４】
前述の問題に鑑みて、本考案の目的は上述のさまざまな欠点と問題を解決し、同時に、バルブにエアポンプの延伸管を嵌入・固定することでバルブが自らエアポンプの延伸管を保持する自己保持機能を備え、効果的に各種の空気注入物に幅広く応用することができる、自己保持型空気バルブを提供することにある。
【課題を解決するための手段】
【０００５】
本考案はエアポンプの延伸空気注入管を挿入し、回転させてロックすることで連結できる空気バルブであって、主に、折り曲げ式外蓋、バルブ殻体、移動中棒、バネ部材、皿形ゴム、バルブ栓、固定部品から構成され、そのうち、該バルブ殻体の前端部内側に形成した槽の周縁部に、該エアポンプの延伸空気注入管に対応する対称のロック槽を開設し、該エアポンプの延伸空気注入管を挿入して回転させると該ロック槽に嵌入され固定されると共に、該移動中棒の一端に透かし状の押圧片を設け、別の一端に棒体を設け、該棒体の先端にさらにネジ留め端を形成し、且つ、該棒体にバネ部材を穿置し、該押圧片を該バルブ殼体内側の槽内に設置し、別の一端の該棒体及びネジ留め端をバルブ殻体内部に設けた透かし状の支持片の中央孔に穿通した後、該ネジ留め端を該皿形ゴムと該バルブ栓に穿通し、さらに固定部品を該ネジ留め端に螺合して固定し、該エアポンプの延伸管の挿入と取り外しに連動して該移動中棒がバルブ殻体内で往復移動し、バルブの開閉が行われることを特徴とする。
【考案の効果】
【０００６】
本考案には以下のような利点がある。
１．本考案を利用すれば、空気バルブの構造体をより簡略化し、動作の確実性を高めると共に、空気注入物とエアポンプの寿命を延長することができる。
２．本考案によれば、空気バルブにロック式位置決めとバネ部材を利用することで二方向バルブ（空気の注入と吸入排気）を形成することができ、この二方向機能はエアポンプの延伸管の嵌合・固定後自動的に形成され、エアポンプで空気注入を行うか、エアポンプで逆方向に空気を吸出し、迅速に気体を抜く操作を行うことができる。
３．本考案のバルブ栓と表面に嵌置された軟質の皿形ゴムが有する弧形の角度により、バルブ栓の位置決め性と気密効果を確保することができ、同時に、気流の迅速な周方向の流動を促すことができる。
４．本考案のロック機能により、エアポンプの延伸管を回転させて取り外す際、自動的に跳び出させることができ、同時に空気バルブが閉じるため、完全に操作の遅延による漏洩の問題を解決することができる。
５．本考案のロック機能により、エアポンプの延伸管がロックされて位置決めされ、エアポンプの延伸管が内圧気流により発生する逆方向の圧力を受けて受け押し出されるのを防ぐことができる。
６．本考案のロック機能により、エアポンプの延伸管が直接空気バルブ上に組み込まれ、他の接続式ノズルなどを必要としない。
【０００７】
上述のように、本考案は従来技術を打破する自己保持型空気バルブを提供するものであり、空気注入物産業における高い利用性を備えているだけでなく、大幅に品質を向上することができ、高い産業的利用価値を備えている。本考案の構造的訴求点ははっきりしており、且つ簡単であるため、予期する効果を確実に得ることができ、新規性と進歩性という重要な要件を兼ね備えており、従来の空気バルブが直面するさまざまな欠点を改善するものである。
【考案を実施するための最良の形態】
【０００８】
以下、本考案の特徴及び実質的機能についてより理解を深めるため、具体的な実施例と図面に基づき詳細に説明する。
【０００９】
図２、図３に示すように、本考案は空気注入物B上に設置され、空気の注入と吸入排気に用いられるバルブである。その全体の構造は主に弧形中空体の先端外周を嵌挿する環１１を設けた折り曲げ式外蓋１、バルブ殻体２、移動中棒３、バネ部材４、皿形ゴム５、バルブ栓６、固定部品７から構成される。そのうち、折り曲げ式外蓋１はバルブ殼体２前端外側周縁部に嵌置され、バルブ殻体２の空気注入端２１を密閉することができる。バルブ殻体２の前端内側壁面上にさらに対称のロック槽２２を形成し、エアポンプの延伸管７を挿入して組み込むとき、挿入して回転させる動作で延伸管８とバルブ殻体２の両者を嵌合し、連結を形成することができる。
【００１０】
次に、移動中棒３は押圧を受けると往復の位置移動を行う機能を備え、バネ部材４により位置回復機能を得てバルブ殻体２を密封することができ、その一端に透かし状の押圧片３１を備え、別の一端に棒体３２及び棒体の先端に設けたネジ留め端３３を有し、且つ、押圧片３１の大きさは、バルブ殻体内側の槽の大きさに合わせて設け、棒体３２とネジ留め端３３をバルブ殻体２内部に設けた透かし状の支持片２３の中央孔２３１に貫通させた後、皿形ゴム５とバルブ栓６を穿置してネジ留め端３３に固定部品７を螺合し、移動中棒に移動式の位置決め機能が形成される。
【００１１】
図４に示すように、バルブ殻体２の後端部は、内側に傾斜した弧形中空体２４とし、同等の形態のバルブ栓６とその面上を覆う皿形ゴム５と密着状態を形成することができる。これにより、バルブ栓６を開閉すると、図５に示すように、バルブ殻体２後端部の弧形中空体２４が周方向を呈した開閉となり、その空気の注入量または排出量を拡大することができる。
【００１２】
図５に示すように、移動中棒３とバルブ殻体２間の位置関係について述べると、移動中棒３はバルブ殻体２内側の槽内でのみ往復の位置移動の動作を行い、同時にバネ部材４による制限を受け、位置回復機能が形成される。このため、押圧片３１を押圧すると、移動中棒３が内側方向に移動し、バルブ栓６を開放する。反対に、移動中棒３に対する押圧をやめると、移動中棒３がバネ部材４による位置回復を受け、バルブ栓６を閉じる。この動作と、エアポンプの延伸管８を回転させその前端部８１に設けた突起部８２をロックして連結することにより、本考案の自己保持型空気バルブは、ロックと空気の注入及び吸入排気という３つの機能を１つに併せ持つことができる。
【図面の簡単な説明】
【００１３】
【図１】従来の空気バルブの立体外観斜視図である。
【図２】本考案の最良の実施例の立体外観斜視図である。
【図３】本考案の立体分解図である。
【図４】本考案の全体の構造と延伸管の挿入とロック動作を示す側面断面図である
【図５】本考案の全体の構造とバルブの開閉動作を示す側面断面図である。
【符号の説明】
【００１４】
B      空気注入物
１      折り曲げ式外蓋
１１    弧形中空体の前端外周を嵌挿する環
２      バルブ殻体
２１    空気注入端
２２    ロック槽
２３    支持片
２３１  中央孔
２４    弧形中空体
３      移動中棒
３１    押圧片
３２    棒体
３３    ネジ留め端
４      バネ部材
５      皿形ゴム
６      バルブ栓
７      固定部品
８      延伸管
８１    前端部
８２    突起部
【図１】
0003113886.tif 000003
【図２】
0003113886.tif 000004
【図３】
0003113886.tif 000005
【図４】
0003113886.tif 000006
【図５】
0003113886.tif 000007